(57)【要約】【課題】バルコニー本体に簡単かつ確実に接合させることが可能なキャンチバルコニーの取付構造を提供する。【解決手段】１階の建物ユニット１１の上面に構築されるバルコニー本体２から張り出されるキャンチバルコニー３の取付構造である。このバルコニー本体は、キャンチバルコニーとの継目に隣接する１階建物ユニットの柱の上端に対して下端が連結される手摺柱２１を備えている。そして、手摺柱の下部の継目側の側面２１ａに接合される取付金具４は、手摺柱の側面にのみ接合させる取付板部４１と、その取付板部に略直交する方向に張り出される張出板部４２とを有し、キャンチバルコニーの張出方向に延びる下梁３１の端部３１ａが張出板部に接合される。【選択図】図１
2014214446.tif 000002
【特許請求の範囲】
【請求項１】
建物の下階の上面に構築されるバルコニー本体から張り出されるキャンチバルコニーの取付構造であって、
前記バルコニー本体は、前記キャンチバルコニーとの継目に隣接する前記下階の柱の上端に対して下端が連結される手摺柱を備えており、
前記手摺柱の下部の前記継目側の側面に接合される取付金具は、前記手摺柱の側面にのみ接合させる取付板部と、その取付板部に略直交する方向に張り出される張出板部とを有し、前記キャンチバルコニーの張出方向に延びる下梁の端部が前記張出板部に接合されることを特徴とするキャンチバルコニーの取付構造。
【請求項２】
前記バルコニー本体は、前記手摺柱が配置されない箇所に前記張出方向に延びる床梁を備えており、
前記床梁に接合される補強梁は、前記床梁の側面に接合させるとともに一部が張り出される帯板部と、その帯板部の張り出された部分の下面から側方に向けて拡幅される受け板部とを有し、前記キャンチバルコニーの側縁が前記帯板部の張り出された部分と前記受け板部に接合されることを特徴とする請求項１に記載のキャンチバルコニーの取付構造。
【請求項３】
前記バルコニー本体は、前記継目側に前記キャンチバルコニーの軒元梁に略平行な梁材を備えており、
前記梁材に接合されるジョイント金具は、前記梁材の側面に接合させる取付片と、その取付片の下縁から張り出される張出片とを有し、前記キャンチバルコニーの軒元梁が前記張出片に接合されることを特徴とする請求項１又は２に記載のキャンチバルコニーの取付構造。
【請求項４】
前記キャンチバルコニーは、上面が前記バルコニー本体に向けた下り勾配となるように形成されることを特徴とする請求項１乃至３のいずれか一項に記載のキャンチバルコニーの取付構造。
【請求項５】
前記キャンチバルコニーの張出角度を調整する角度調整装置を備えていることを特徴とする請求項１乃至４のいずれか一項に記載のキャンチバルコニーの取付構造。
【請求項６】
請求項１乃至５のいずれか一項に記載のキャンチバルコニーの取付構造が設けられたことを特徴とする建物。
【発明の詳細な説明】
【技術分野】
【０００１】
本発明は、建物の下階の上面に構築されるバルコニー本体から張り出されるキャンチバルコニーの取付構造及び建物に関するものである。
【背景技術】
【０００２】
建物の１階の屋上にバルコニーを設け、２階の屋内から出入りできるように構築された建物が知られている（特許文献１−３など参照）。特許文献１−３は、いずれもユニット建物を構成する建物ユニットの１階の上面に、バルコニーユニットが設置された構造が開示されている。
【０００３】
ここで、特許文献１，２のバルコニーの外縁は、いずれも下階の外壁面と揃った状態になっており、下階から張り出される箇所は存在しない。一方、特許文献３は、特許文献１，２と同じくバルコニー自体は下階から張り出されていないが、庇がバルコニーの外縁から張り出されている。
【０００４】
この特許文献３の庇は、人が載ったりするバルコニーのような大きな設計荷重が見込まれていないため、そのままキャンチバルコニーの取付構造に転用することはできない。
【０００５】
他方、２階の建物の壁から張り出されるキャンチバルコニーが知られている（特許文献４−７など参照）。特許文献４，５には、２階建物ユニットの床梁の側面（ウェブ）に支持させるバルコニーの取付構造が開示されている。
【０００６】
また、特許文献６には、２階建物ユニットの床梁と１階建物ユニットの天井梁とに支持させるバルコニーの取付構造が開示されている。さらに、特許文献７には、１階下部と２階上部の壁面に跨るアタッチメントを取り付け、そのアタッチメントに支持させるバルコニーの取付構造が開示されている。
【先行技術文献】
【特許文献】
【０００７】
【特許文献１】特開２０１０−１３９１８号公報
【特許文献２】特開２０１０−１８９６４号公報
【特許文献３】特開平１１−４４０３２号公報
【特許文献４】特開平１０−４６６６８号公報
【特許文献５】特開平８−３０２８０６号公報
【特許文献６】特開平８−１４４３６１号公報
【特許文献７】特開平８−８６０２１号公報
【発明の概要】
【発明が解決しようとする課題】
【０００８】
しかしながら、建物の梁にキャンチバルコニーの荷重を直接に支持させる取付構造では、梁に大きな軸まわりの力（ねじれ方向の力）が作用することになるため、梁などの建物自体の補強が必要になってコストが嵩むことになる。
【０００９】
また、下階の壁面に跨る取付構造では、荷重の分散は図れるが、下階の壁面にも加工を施さなければならないうえに、取付作業が上階からだけでは困難になる場合は、別途、作業足場が必要になる。
【００１０】
一方、少しでも広いバルコニーを要望する住人のために、下階よりも張り出されるキャンチバルコニーがバルコニー本体に簡単に取り付けられることが望ましい。
【００１１】
そこで、本発明は、建物自体を補強しなくても、バルコニー本体に簡単かつ確実に接合させることが可能なキャンチバルコニーの取付構造及び建物を提供することを目的としている。
【課題を解決するための手段】
【００１２】
前記目的を達成するために、本発明のキャンチバルコニーの取付構造は、建物の下階の上面に構築されるバルコニー本体から張り出されるキャンチバルコニーの取付構造であって、前記バルコニー本体は、前記キャンチバルコニーとの継目に隣接する前記下階の柱の上端に対して下端が連結される手摺柱を備えており、前記手摺柱の下部の前記継目側の側面に接合される取付金具は、前記手摺柱の側面にのみ接合させる取付板部と、その取付板部に略直交する方向に張り出される張出板部とを有し、前記キャンチバルコニーの張出方向に延びる下梁の端部が前記張出板部に接合されることを特徴とする。
【００１３】
また、前記バルコニー本体は、前記手摺柱が配置されない箇所に前記張出方向に延びる床梁を備えており、前記床梁に接合される補強梁は、前記床梁の側面に接合させるとともに一部が張り出される帯板部と、その帯板部の張り出された部分の下面から側方に向けて拡幅される受け板部とを有し、前記キャンチバルコニーの側縁が前記帯板部の張り出された部分と前記受け板部に接合される構成とすることもできる。
【００１４】
さらに、前記バルコニー本体は、前記継目側に前記キャンチバルコニーの軒元梁に略平行な梁材を備えており、前記梁材に接合されるジョイント金具は、前記梁材の側面に接合させる取付片と、その取付片の下縁から張り出される張出片とを有し、前記キャンチバルコニーの軒元梁が前記張出片に接合される構成とすることもできる。
【００１５】
また、前記キャンチバルコニーは、上面が前記バルコニー本体に向けた下り勾配となるように形成されているのが好ましい。さらに、前記キャンチバルコニーの張出角度を調整する角度調整装置を備えている構成とすることもできる。
【００１６】
そして、本発明の建物は、上記したいずれかのキャンチバルコニーの取付構造が設けられたことを特徴とする。
【発明の効果】
【００１７】
このように構成された本発明のキャンチバルコニーの取付構造は、下階の柱の上端に対して下端が連結されるバルコニー本体の手摺柱に取付金具を接合する。そして、手摺柱の側面にのみ接合させる取付板部を有する取付金具に、キャンチバルコニーの下梁の端部を接合する。
【００１８】
このように下階の柱の上端に下端が連結された手摺柱にキャンチバルコニーを支持させる取付構造とすることで、荷重の伝達を鉛直方向の力に対して耐力に余裕のある柱経由にすることができる。この結果、梁などの建物自体を補強しなくても、キャンチバルコニーの大きな荷重に耐え得る取付構造にすることができる。
【００１９】
また、取付金具を介することで、バルコニー本体に簡単かつ確実にキャンチバルコニーを取り付けることができる。すなわち取付金具の取付板部は、手摺柱の側面にのみ接合させればよいので、バルコニー本体の上から容易に取付作業を行うことができる。
【００２０】
さらに、手摺柱が配置されない箇所には、バルコニー本体の床梁に接合させる補強梁を張り出させることで、キャンチバルコニーの側縁を支持させることができる。
【００２１】
また、キャンチバルコニーの軒元梁を、ジョイント金具を介してバルコニー本体側に連結させることで、軒元梁の長手方向のずれの発生などを防ぐことができるようになる。
【００２２】
さらに、キャンチバルコニーの上面をバルコニー本体に向けた下り勾配にすることで、キャンチバルコニーには樋部を設ける必要がなくなり、簡単な構成にすることができる。また、角度調整装置を備えていれば、キャンチバルコニーを容易に水平に調整することができる。
【図面の簡単な説明】
【００２３】
【図１】本発明の実施の形態のキャンチバルコニーの取付構造によるキャンチバルコニーの取付作業を示した斜視図である。
【図２】キャンチバルコニーが設けられるユニット建物の全体の概略構成を示した平面図である。
【図３】手摺柱の下部に接合された取付金具にキャンチバルコニーの下梁の端部を接合する工程を示した斜視図である。
【図４】取付金具周辺の取付構造を拡大して示した平面図である。
【図５】図４のＡ−Ａ矢視方向で見た断面図である。
【図６】図４のＢ−Ｂ矢視方向で見た側面図である。
【図７】床梁に接合された補強梁にキャンチバルコニーを接合する工程を示した斜視図である。
【図８】補強梁周辺の取付構造を拡大して示した平面図である。
【図９】図８のＣ−Ｃ矢視方向で見た断面図である。
【図１０】図８のＤ−Ｄ矢視方向で見た断面図である。
【図１１】ジョイント金具の構成を示した斜視図である。
【図１２】水平調整ボルトを使ったキャンチバルコニーの角度調整工程を説明する図であって、（ａ）は水平調整ボルト周辺の構成を示した部分拡大平面図、（ｂ）は角度調整工程の説明図である。
【図１３】バルコニー本体及びキャンチバルコニーの構成を示した縦断面図である。
【図１４】実施例１のキャンチバルコニーの取付構造が設けられるユニット建物の全体の概略構成を示した平面図である。
【図１５】実施例２のキャンチバルコニーの取付構造が設けられるユニット建物の全体の概略構成を示した平面図である。
【発明を実施するための形態】
【００２４】
以下、本発明の実施の形態について図面を参照して説明する。図１は、本実施の形態のキャンチバルコニーの取付構造によるキャンチバルコニー３の取付作業を示した斜視図である。また、図２は、そのキャンチバルコニー３が設けられる建物としてのユニット建物１の全体の概略構成を示した平面図である。
【００２５】
このユニット建物１は、複数の建物ユニット１１，１２を隣接させて構築される２階建ての建物である。このユニット建物１には、１階の建物ユニット１１の上に２階の建物ユニット１２が設置される部分と、１階の建物ユニット１１の上面にバルコニー本体２が設置される部分がある。
【００２６】
そして、バルコニー本体２の外縁（継目側）にはキャンチバルコニー３が接続されて、１階の建物ユニット１１，１１から張り出された外観になる。このキャンチバルコニー３は、取付金具４、補強梁５及びジョイント金具６を介してバルコニー本体２に支持される。
【００２７】
まず、取付金具４について、図３−５を参照しながら説明する。この取付金具４は、バルコニー本体２の手摺柱２１の下部の継目側の側面２１ａに接合される。
【００２８】
バルコニー本体２の手摺柱２１は、図２，４に示すように、端部が２階の建物ユニット１２に接続される手摺壁２２下縁の本体下梁２５と、１階の建物ユニット１１のキャンチバルコニー３側（継目側）の外縁上に沿って配置される梁材としての垂木受梁２３との隅角部に配置される。
【００２９】
手摺柱２１は、図４に示すように、四角筒状に形成されており、建物ユニット１２側の側面が本体下梁２５の端部に溶接接合されるとともに、その側面に直交する側面に垂木受梁２３の端部がドリルねじ２３ａ，２３ａによって接合される。また、図６に示すように、手摺柱２１の下端は、１階の建物ユニット１１の柱１１ａの上端に接合ボルト１３によって連結させる。
【００３０】
この柱１１ａは、１階の建物ユニット１１の隅角部に配置されており、四角筒状の柱１１ａの上端は上蓋１１１によって塞がれている。この上蓋１１１には、接合ボルト１３を挿通させる穴が穿孔されており、その穴の位置に合わせてナット１３ａが固定されている。
【００３１】
一方、手摺柱２１の下端は下蓋２１１によって塞がれており、それに隣接して点検穴１１２が設けられている。接合ボルト１３は、この点検穴１１２からナット１３ａにねじ込まれる。また、接合ボルト１３の締結は、手摺柱２１の上方から接合ボルト１３の接続頭１３ｂに嵌める締結工具を挿し込んで行う。
【００３２】
手摺柱２１に固定される取付金具４は、手摺柱２１の側面２１ａに全面を接触させて接合させる取付板部４１と、その取付板部４１に略直交する方向に張り出される張出板部４２とによって、平面視略Ｌ字形又は略Ｔ字形に形成される。
【００３３】
この取付板部４１は、鋼板等を長方形に成形した部材で、図４−６に示すように、ボルト４３によって手摺柱２１の側面２１ａにのみ接合される。すなわち取付板部４１は、手摺柱２１の下蓋２１１より下方に突出することのない大きさに成形されており、１階の建物ユニット１１の柱１１ａに接合されることはない。
【００３４】
また、手摺柱２１の内部には、側面２１ａの背面に沿って取付プレート２１２が固定されており、その取付プレート２１２に上下方向に間隔を置いた複数のボルト４３，４３をねじ込んで定着させることで取付板部４１の接合を行う。
【００３５】
一方、張出板部４２は、鋼板等を長方形に成形した部材で、取付板部４１の表面に溶接によって接合される。この張出板部４２には、キャンチバルコニー３の端部３１ａとの接合に使用されるボルト４４を挿通させるボルト穴４２ａ，４２ａと、位置合わせに使用されるシノ穴４２ｂとが穿孔されている。すなわち張出板部４２には、上部と下部にそれぞれボルト穴４２ａ，４２ａが設けられ、ボルト穴４２ａ，４２ａ間にシノ穴４２ｂが設けられる。
【００３６】
この取付金具４に接合させるキャンチバルコニー３の端部３１ａも、図４に示すように、キャンチバルコニー３の隅角部に形成される。キャンチバルコニー３の隅角部は、本体下梁２５と長手方向が一致するように１階の建物ユニット１１から張り出される下梁３１と、垂木受梁２３に対峙して平行に配置される軒元梁３３との直交する交差部に形成される。
【００３７】
断面視コ字形の下梁３１の端面は、図３，４に示すように、長方形の端面板３１１によって塞がれている。そして、端面板３１１の継目側の表面には、略直交する方向に張り出される接合板３１２が溶接によって接合される。
【００３８】
また、端面板３１１と接合板３１２とよって形成される平面視略Ｔ字形又は略Ｌ字形の上端面は、長方形の上板３１３によって塞がれる。さらに、接合板３１２の張り出された縁部と端面板３１１とは、平面視略Ｌ字形の締結金具３１４によって接続される。
【００３９】
すなわち図４に示すように、端面板３１１と接合板３１２と締結金具３１４とによって四角筒状の空間が形成され、その上部開口が上板３１３によって塞がれることになる。
【００４０】
そして、この締結金具３１４の側面には、軒元梁３３の端部金具３３ａが溶接によって接合される。また、上板３１３の上面には、キャンチバルコニー３の隅角部に配置される壁当柱３２の下端が接合される。
【００４１】
このようにして形成されたキャンチバルコニー３の下梁３１の端部３１ａと取付金具４とは、ボルト４４によって接合される。すなわち、端部３１ａの接合板３１２には、図３に示すように取付金具４のボルト穴４２ａ，４２ａとシノ穴４２ｂに対向する位置に、ボルト穴３１２ａ，３１２ａとシノ穴３１２ｂがそれぞれ穿孔されている。
【００４２】
この取付金具４の張出板部４２と端部３１ａの接合板３１２との接合は、シノ穴４２ｂ，３１２ｂにシノ５３ｃ（図７参照）を挿し込んで位置合わせをした後に、重なったボルト穴４２ａ，３１２ａにボルト４４を通して行う。
【００４３】
詳細には、ボルト４４にバネ座金や平座金などの座金４４ｂを装着し、ボルト穴４２ａに先端を挿入する。そして、図４に示すように、ボルト穴３１２ａを通って締結金具３１４側に突出したボルト４４の先端は、接合板３１２の背面側に溶接で固定されたナット４４ａにねじ込まれる。なお、必要に応じて張出板部４２と接合板３１２との間には、スペーサ４５を介在させる。
【００４４】
また、キャンチバルコニー３の端部３１ａの上板３１３は、図３に示すように取付金具４の上端面に載せられることになる。すなわち、キャンチバルコニー３の鉛直荷重は、上板３１３を介して取付金具４に伝達されることになる。
【００４５】
このように取付金具４とボルト４４，４４と上板３１３とによってキャンチバルコニー３の端部３１ａを支持させれば、キャンチバルコニー３から作用する鉛直荷重を充分に受け持たせることができる。
【００４６】
続いて、補強梁５について、図２及び図７−１０を参照しながら説明する。この補強梁５は、図２に示すように、バルコニー本体２の床梁２６，２６に接合される。
【００４７】
このバルコニー本体２には、１階の建物ユニット１１，１１の隣接する妻側天井梁(図示省略)の真上に、それぞれ床梁２６，２６が配置されている。この床梁２６のキャンチバルコニー３側（継目側）の端部には、図８に示すように垂木受梁２３をドリルねじ２３ａによって接合させる端部金具２３ｂが取り付けられている。そして、この床梁２６，２６間に、図７に示すように補強梁５を挟み、それぞれに接合させる。
【００４８】
この補強梁５は、床梁２６，２６の側面に接合させるとともに一部が張り出される帯板部５１と、その帯板部５１の張出部５１ｂの下面から側方に向けて拡幅される受け板部５２とによって主に構成される。
【００４９】
この帯板部５１は、鋼板等を長方形に成形した部材で、図８−１０に示すように、床梁２６，２６間に挟持される本体接合部５１ａと、１階の建物ユニット１１，１１から張り出される張出部５１ｂとを有している。
【００５０】
そして、張出部５１ｂに対して略直交する方向となる水平方向に広がる受け板部５２を、張出部５１ｂの下端面に溶接によって接合する。すなわち、図１０に示すように、張出部５１ｂと受け板部５２とは、正面視略逆Ｔ字形に形成される。
【００５１】
図９は、図８のＣ−Ｃ矢視方向で見た床梁２６，２６と本体接合部５１ａとの接合構造を示している。床梁２６，２６間には、スペーサ５４，５４を介して帯板部５１の本体接合部５１ａが挟まれる。
【００５２】
そして、床梁２６，２６、スペーサ５４，５４及び本体接合部５１ａを通したボルト５３をナット５３ａで締結することによって、補強梁５を床梁２６，２６に接合させる。
【００５３】
一方、図７に示すように、バルコニー本体２の床梁２６と垂木受梁２３によって形成される隅角部と対向するキャンチバルコニー３側には、妻フレーム３７と軒元梁３３とによって隅角部が形成される。なお、この隅角部には、キャンチバルコニー３の吊り上げに使用される吊り具用ナット３３ｃが取り付けられている（図８，１０参照）。
【００５４】
妻フレーム３７は、床梁２６と長手方向が一致するように１階の建物ユニット１１から張り出される。図８に示すように、妻フレーム３７の継目側の端部には、軒元梁３３が端部金具３３ｂを介して接合される。
【００５５】
そして、妻フレーム３７のもう一方の端部には、四角筒状の柱３４が接合される。また、その柱３４の側面には、妻フレーム３７と直交し、軒元梁３３と平行となる軒先梁３６の端部が接合される。
【００５６】
このキャンチバルコニー３の側縁となる妻フレーム３７を、補強梁５の張り出された部分に接合させる。図７では、キャンチバルコニー３の妻フレーム３７，３７間に、帯板部５１の張出部５１ｂが挟持された状態となっている。
【００５７】
詳細には、図７，８に示すように、受け板部５２の上面にはガイドピン５２１が上方に向けて突出されている。このガイドピン５２１で位置合わせをしながら、受け板部５２の上面に断面視コ字形の妻フレーム３７の下フランジを載せる。
【００５８】
そして、仮ボルト５２２によって妻フレーム３７を受け板部５２に仮固定する。さらに、妻フレーム３７，３７間は、図８，１０に示すように、下面側に連結板５２３を架け渡し、仮ボルト５２２，５２２を締結することによっても仮固定される。
【００５９】
この仮固定後に、図７に示すようにシノ５３ｃを使って張出部５１ｂを挟んだ妻フレーム３７，３７間のボルト穴５３ｄの位置合わせを行う。位置合わせに際しては、必要に応じて仮固定した締結を緩める。
【００６０】
そして、位置合わせがされたボルト穴５３ｄにボルト５３を挿通させる。詳細には、バネ座金や平座金などの座金５３ｂが装着されたボルト５３を、一方の妻フレーム３７の側方からボルト穴５３ｄに向けて挿し込む。
【００６１】
反対側の妻フレーム３７から突出されたボルト５３の先端には、座金５３ｂ及びナット５３ａを装着する。図１０は、図８のＤ−Ｄ矢視方向で見た張出部５１ｂと妻フレーム３７，３７との接合構造の断面図である。
【００６２】
すなわち、妻フレーム３７，３７、スペーサ５４，５４及び張出部５１ｂを通したボルト５３をナット５３ａで締結することによって、補強梁５にキャンチバルコニー３の妻フレーム３７，３７が接合される。
【００６３】
このように補強梁５の受け板部５２でキャンチバルコニー３の側縁（妻フレーム３７）を受けるとともにボルト５３，５３による接合を行えば、キャンチバルコニー３から作用する鉛直荷重を充分に支持させることができる。
【００６４】
さらに、取付金具４と補強梁５との間となる垂木受梁２３の長手方向の略中央には、図１，２に示すようにジョイント金具６を配置する。このジョイント金具６について、図１１を参照しながら説明する。
【００６５】
ジョイント金具６は、垂木受梁２３の継目側の側面に接触させて接合させる取付片６ａと、その取付片６ａの下縁から水平に張り出される張出片６ｂとによって、側面視略Ｌ字形に形成される。
【００６６】
垂木受梁２３と取付片６ａは、複数のドリルねじ６２，・・・によって接合される。そして、図１１，１３に示すように、キャンチバルコニー３側に張り出された張出片６ｂの上に軒元梁３３の下面を載せ、ボルト６１とナット６１ａによって双方を接合させる。
【００６７】
このジョイント金具６の接合に使用される鉛直方向に向けたボルト６１，６１は、キャンチバルコニー３から作用する水平荷重に対してせん断抵抗部材として機能する。
【００６８】
以上で説明したように、図１に示すように吊り上げられてバルコニー本体２の垂木受梁２３に隣接する位置まで移動されたキャンチバルコニー３は、取付金具４，４とジョイント金具６，６と補強梁５とに接合されて支持されることになる。
【００６９】
ここで、図１２は、キャンチバルコニー３を取付金具４、ジョイント金具６及び補強梁５で仮支持させた後に行われる角度調整工程を示している。詳細には、図１２（ａ）に示すように、軒元梁３３には垂木受梁２３に反力を取るようにした角度調整装置としての水平調整ボルト７が配置されている。
【００７０】
この水平調整ボルト７のねじ込み量を、図１２（ｂ）に模式的に示したようにキャンチバルコニー３に取り付けられた水準器７１を見ながら調整することで、容易にキャンチバルコニー３を水平に張り出させることができる。
【００７１】
図１３は、１階の建物ユニット１１の上に設置されたバルコニー本体２から、キャンチバルコニー３を張り出させた状態の縦断面図を示している。このキャンチバルコニー３は、水平調整ボルト７によって水平に取り付けられるが、上面となる床面３ａは、軒先側に設けられる手摺壁３５からバルコニー本体２に向けて下る下り勾配に仕上げられる。
【００７２】
このようにキャンチバルコニー３の床面３ａをバルコニー本体２側への下り勾配に形成しておけば、床面３ａに落ちた雨水などの水は、バルコニー本体２側に流下し、バルコニー本体２の床面２ａを流れて、図２に示すようなバルコニー本体２の樋部２４を介して排出されることになる。
【００７３】
次に、本実施の形態のキャンチバルコニー３の取付構造の作用について説明する。
【００７４】
このように構成された本実施の形態のキャンチバルコニー３の取付構造は、１階の建物ユニット１１の柱１１ａの上蓋１１１に対して下蓋２１１が連結されるバルコニー本体２の手摺柱２１に取付金具４を接合する。そして、手摺柱２１の側面２１ａにのみ接合させる取付板部４１を有する取付金具４に、キャンチバルコニー３の下梁３１の端部３１ａを接合する。
【００７５】
このように１階の柱１１ａの上蓋１１１に下蓋２１１が連結された手摺柱２１にキャンチバルコニー３を支持させる取付構造とすることで、荷重の伝達を鉛直方向の力に対して耐力に余裕のある柱経由にすることができる。この結果、１階の建物ユニット１１の梁などを補強しなくても、キャンチバルコニー３の大きな荷重に耐え得る取付構造にすることができる。
【００７６】
また、取付金具４を介することで、バルコニー本体２に簡単かつ確実にキャンチバルコニー３を取り付けることができる。すなわち取付金具４の取付板部４１は、手摺柱２１の側面２１ａにのみ接合させればよいので、バルコニー本体２の上から容易に取付作業を行うことができる。
【００７７】
さらに、手摺柱２１が配置されない箇所には、バルコニー本体２の床梁２６，２６に接合させる補強梁５を張り出させることで、キャンチバルコニー３の側縁を支持させることができる。
【００７８】
また、キャンチバルコニー３の軒元梁３３を、ジョイント金具６を介してバルコニー本体２の垂木受梁２３に連結させることで、水平方向の荷重に対する取付構造の耐力を増加させることができる。すなわち、ジョイント金具６の鉛直方向に向けたボルト６１，６１が、キャンチバルコニー３から作用する水平荷重に対してせん断抵抗部材として機能する。この結果、軒元梁３３の長手方向のずれの発生などを防ぐことができるようになる。
【００７９】
このようにキャンチバルコニー３の荷重を１階の建物ユニット１１の天井梁に直接伝達させない取付構造であれば、建物ユニット１１の荷重負担を減らすことができる。
【００８０】
さらに、キャンチバルコニー３の床面３ａをバルコニー本体２に向けた下り勾配にすることで、キャンチバルコニー３に樋部を設けたり雨仕舞い処理をしたりする必要がなくなり、簡単な構成にすることができる。
【００８１】
また、角度調整装置となる水平調整ボルト７を備えていれば、キャンチバルコニー３が水平方向に張り出されるように、容易に調整することができる。
【実施例１】
【００８２】
以下、前記した実施の形態とは別の形態の実施例１について、図１４を参照しながら説明する。なお、前記実施の形態で説明した内容と同一乃至均等な部分の説明については、同一用語又は同一符号を付して説明する。
【００８３】
前記実施の形態では、２つ並んだ建物ユニット１１，１１上に設置される比較的に広いバルコニー本体２にキャンチバルコニー３を取り付けるために、取付金具４、補強梁５及びジョイント金具６を利用する取付構造について説明した。
【００８４】
この実施例１では、図１４に示すように、ユニット建物１Ａの１つの建物ユニット１１上に設置されるバルコニー本体２Ａにキャンチバルコニー３Ａを取り付けるために、取付金具４，４及びジョイント金具６を利用する取付構造について説明する。
【００８５】
すなわち、実施例１のキャンチバルコニー３Ａの取付構造では、補強梁５を使用しない。バルコニー本体２Ａの継目側の両側の隅角部に配置される２つの手摺柱２１，２１には、それぞれ取付金具４，４が接合される。
【００８６】
また、取付金具４，４間となる垂木受梁２３の長手方向の略中央には、ジョイント金具６が取り付けられる。そして、キャンチバルコニー３Ａの両側の端部を取付金具４，４に接合し、軒元梁３３の長手方向の略中央をジョイント金具６に接合させる。
【００８７】
このように、取り付けられるキャンチバルコニー３Ａが比較的に狭い場合は、補強梁５を使用しなくても、取付金具４，４とジョイント金具６だけでキャンチバルコニー３Ａを支持させることができる。
【００８８】
また、バルコニー本体２Ａとキャンチバルコニー３Ａという２部材に分割してそれぞれ搬送し、現地で組み付けるだけであれば、簡単にバルコニーを構築することができる。
【００８９】
なお、他の構成及び作用効果については、前記実施の形態と略同様であるので説明を省略する。
【実施例２】
【００９０】
以下、前記した実施の形態及び実施例１とは別の形態の実施例２について、図１５を参照しながら説明する。なお、前記実施の形態又は実施例１で説明した内容と同一乃至均等な部分の説明については、同一用語又は同一符号を付して説明する。
【００９１】
この実施例２では、図１５に示すように、ユニット建物１Ｂの入隅部にバルコニー本体２Ｂが配置される場合について説明する。ここで、バルコニー本体２Ｂは、入隅部の１階の建物ユニット１１上に設置されるため、出隅部となる箇所と、２階の建物ユニット１２の外壁に隣接する箇所が発生する。
【００９２】
そこで、出隅部となる箇所の手摺柱２１には取付金具４を接合し、建物ユニット１２の外壁に隣接する箇所には補強梁５Ｂを配置する。この補強梁５Ｂは、前記実施の形態で説明した補強梁５と略同じ構成であるが、受け板部５２が建物ユニット１２側には張り出されていない。すなわち前記実施の形態で説明した補強梁５は正面視略逆Ｔ字形（図１０参照）に形成されるが、この補強梁５Ｂは正面視略Ｌ字形に形成される。
【００９３】
また、取付金具４と補強梁５Ｂとの間となる垂木受梁２３の長手方向の略中央には、ジョイント金具６が取り付けられる。そして、キャンチバルコニー３Ｂの一方の端部を取付金具４に接合し、他方の端部を補強梁５Ｂに接合させる。さらに、軒元梁３３の長手方向の略中央をジョイント金具６に接合させる。
【００９４】
このようにバルコニー本体２Ｂが入隅部に配置されている場合でも、取付金具４、補強梁５Ｂ及びジョイント金具６を使って、キャンチバルコニー３Ｂを簡単かつ確実に支持させることができる。
【００９５】
なお、他の構成及び作用効果については、前記実施の形態又は実施例１と略同様であるので説明を省略する。
【００９６】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００９７】
例えば、前記実施の形態及び実施例では、建物としてユニット建物１，１Ａ，１Ｂを例に説明したが、これに限定されるものではなく、在来工法などによって構築される建物にも本発明を適用することができる。
【符号の説明】
【００９８】
１，１Ａ，１Ｂ  ユニット建物（建物）
１１            建物ユニット（下階）
１１ａ          柱
１１１          上蓋（上端）
２，２Ａ，２Ｂ  バルコニー本体
２１            手摺柱
２１ａ          側面
２１１          下蓋（下端）
２６            床梁
３，３Ａ，３Ｂ  キャンチバルコニー
３ａ            床面（上面）
３１            下梁
３１ａ          端部
３３            軒元梁
３７            妻フレーム（側縁）
４              取付金具
４１            取付板部
４２            張出板部
５，５Ｂ        補強梁
５１            帯板部
５１ａ          本体接合部
５１ｂ          張出部
５２            受け板部
６              ジョイント金具
６ａ            取付片
６ｂ            張出片
７              水平調整ボルト（角度調整装置）
【図１】
2014214446.tif 000003
【図２】
2014214446.tif 000004
【図３】
2014214446.tif 000005
【図４】
2014214446.tif 000006
【図５】
2014214446.tif 000007
【図６】
2014214446.tif 000008
【図７】
2014214446.tif 000009
【図８】
2014214446.tif 000010
【図９】
2014214446.tif 000011
【図１０】
2014214446.tif 000012
【図１１】
2014214446.tif 000013
【図１２】
2014214446.tif 000014
【図１３】
2014214446.tif 000015
【図１４】
2014214446.tif 000016
【図１５】
2014214446.tif 000017